(57)【要約】      （修正有）【課題】食品廃棄物ディスポーザシステムを提供する。【解決手段】食品廃棄物ディスポーザシステムは、ねじ式シンクフランジ２０６および食品廃棄物ディスポーザ２００を有する。ねじ式シンクフランジは、管状本体部２１０および管状本体部の上部から径方向外側に延びるフランジ部２０８を有する。管状本体部は、ねじ部２１２を有する。食品廃棄物ディスポーザは、ねじ部２２６を有する上側環状部２２４を有するハウジング１１８’を備えた上側食品運搬部を有する。ねじ式シンクフランジが、食品廃棄物ディスポーザをシンクに取り付けるために、シンクの排水開口内でシンクフランジ取付ナット２１６で配置および固定される場合に、上側食品運搬部のハウジングの上側環状部は、ねじ式シンクフランジの管状本体部のねじ部にねじ込まれる。【選択図】図２
0003179359.tif 000002
【実用新案登録請求の範囲】
【請求項１】
管状本体部および管状本体部の上部から径方向外側に延びるフランジ部を有し、管状本体部がねじ部を有する、ねじ式シンクフランジと、
上側食品運搬部、モータ部、および食品運搬部とモータ部との間に配置された中央研磨部を有する食品廃棄物ディスポーザであって、中央研磨部が研磨機構を囲むハウジングを有し、研磨機構が中央研磨部のハウジング内に配置された固定シュレッダリング、およびラグを有する回８転可能シュレッダプレートを有し、回転可能シュレッダプレートがモータ部のモータによって回転される、食品廃棄物ディスポーザとを備え、
上側食品運搬部が、食品廃棄物ディスポーザをシンクに取り付けるために、ねじ式シンクフランジがシンクの排水開口内に配置されたときねじ式シンクフランジの管状本体部のねじ部にねじ込まれるねじ部を有する上側環状部を有するハウジングを含む、食品廃棄物ディスポーザおよびマウントシステム。
【請求項２】
シンクの底部に対してねじ式シンクフランジの管状本体部のねじ部上に締め付けられて、ねじ式シンクフランジをシンクに固定するシンクフランジ取付ナットをさらに備えた、請求項１に記載の装置。
【請求項３】
ねじ式シンクフランジの管状本体部のねじ部が外側ねじ部であり、上側食品運搬部のハウジングの上側環状部のねじ部が内側ねじ部である、請求項１に記載の装置。
【請求項４】
上側食品運搬部のハウジングの上側環状部の内側ねじ部がねじ式シンクフランジの管状本体部のねじ部上で締め付けられたとき、ねじ式シンクフランジの管状本体部の底部に対して圧縮される、その上にガスケットが受けられる内側ねじ部の下縁部に、径方向内側に延びるショルダを食品運搬部のハウジングが備えている、請求項３に記載の装置。
【請求項５】
ガスケットが邪魔板構造を有する、請求項４に記載の装置。
【請求項６】
中央研磨部のハウジングおよび上側食品運搬部のハウジングが一体型プラスチックハウジングである、請求項１に記載の装置。
【請求項７】
ねじ式シンクフランジの管状本体部の下部が、内側ねじ部であるねじ部を有し、上側食品運搬部のハウジングの上側環状部のねじ部が、外側ねじ部であり、その上でシンクフランジ取付ナットがシンクの底部に対して締め付けられて、ねじ式シンクフランジをシンクに固定する、外側ねじ部を有するねじ式シンクフランジの管状本体部の上部をさらに含む、請求項１に記載の装置。
【請求項８】
ねじ式シンクフランジの管状本体部が径方向内側に延びる環状ショルダを有し、径方向内側に延びる環状ショルダと、上側食品運搬部のハウジングの上側環状部がねじ式シンクフランジの管状本体部に締め付けられる場合に圧縮される上側食品運搬部のハウジングの上縁部の間に配置されたガスケットをさらに備えた、請求項７に記載の装置。
【請求項９】
ガスケットが邪魔板構造を有する、請求項８に記載の装置。
【請求項１０】
上側食品運搬部、モータ部、および食品運搬部とモータ部との間に配置された中央研磨部であって、中央研磨部が研磨機構を囲むハウジングを有し、研磨機構が中央研磨部のハウジング内に配置された固定シュレッダリング、およびラグを有する回転可能シュレッダプレートを有し、回転可能シュレッダプレートがモータ部のモータによって回転される、上側食品運搬部、モータ部および中央研磨部と、
食品廃棄物ディスポーザをシンクに取り付けるために、シンクの排水開口内に配置されたねじ式シンクフランジにねじ込み可能であるねじ部を有する上側環状部を有するハウジングを含む上側食品運搬部とを備えた、食品廃棄物ディスポーザ。
【請求項１１】
ハウジングのねじ部が内側ねじ部である、請求項１０に記載の装置。
【請求項１２】
上側食品運搬部のハウジングの上側環状部の内側ねじ部がねじ式シンクフランジ上で締め付けられたとき、ねじ式シンクフランジの底部に対して圧縮される、その上にガスケットが受けられる内側ねじ部の下縁部に、径方向内側に延びるショルダを食品運搬部のハウジングが備えている、請求項１１に記載の装置。
【請求項１３】
ガスケットが邪魔板構造を有する、請求項１２に記載の装置。
【請求項１４】
ハウジングのねじ部が外側ねじ部である、請求項１０に記載の装置。
【考案の詳細な説明】
【技術分野】
【０００１】
本出願は、２０１０年１月１８日出願の米国特許出願第１２／６８９，００８号、および２００９年５月２０日出願の米国仮特許出願第６１／１７９，７８１号の優先権を主張するものである。上記出願の開示全体を、本明細書に参照として援用する。
【０００２】
本考案は、食品廃棄物ディスポーザおよびマウントシステムに関する。
【背景技術】
【０００３】
この部分により、必ずしも従来技術ではない、本開示に関連する背景情報を提供する。
【０００４】
図１は、典型的な食品廃棄物ディスポーザ１１０の垂直断面を示している。ディスポーザは、シンク１１４の排水開口内に配置されたシンクフランジ１４６に取り付けられる、米国特許第３，０２５，００７号に開示されたタイプの取付部材を使用して、シンク１４４の排水開口内によく知られている方法で取り付けることができる。ディスポーザは、上側食品運搬部１１２、下側モータ部１１４、および食品運搬部１１２とモータ部１１４の間に配置された中央研磨部１１６を備えている。食品運搬部１１２は、食品廃棄物および水を受けるために、その上端部に入口１２０を形成するハウジング１１８を備えている。ハウジング１１８は、その上側環状端部で、取付部材１１１によってシンクフランジ１４６に取り付けられている。入口１２０は、外側シール部（図示せず）、および複数のフラップ（図示せず）を有する内側部を有する邪魔板１４２を備えることができる。ハウジング１１８はまた、食器洗い機（図示せず）から排水される水を通過させるための食器洗い機入口１２１を形成する。食品運搬部１１２は、食品廃棄物を研磨部１１６に運ぶ。モータ部１１４は、モータシャフト１２４に回転運動を加えるモータ１２２を備えている。モータ１１２は、モータハウジング１２６内に入れられている。
【０００５】
研磨部１１６は、回転プレート１３４、回転プレート１３４上の１対のラグ１３６、および固定シュレッダリング１３８を有する研磨機構１３５を備えている。プレート１３４は、モータ１２２のモータシャフト１２４に結合され、モータシャフト１２４と共に回転する。ラグ１３６は、プレート１３４に固定することができるが、プレート１３４に対して自由に回転する。研磨部１１６はハウジング１１９を備えている。研磨部１１６のハウジング１１９、および食品運搬部１１２のハウジング１１８は、一体型ハウジングであってもよく、射出成型プラスチックハウジングであってもよく、ハウジング１１８および１１９は単一のハウジングとして成形される。この単一のハウジングは、複数のボルト１４１（そのうちの１つだけが図１に示されている）によってモータ部１１４に固定されている。
【０００６】
研磨部１１６のハウジング１１９は、研磨機構１３５を囲んでいる。複数の間隔を置いて配置された歯１４０を備えたシュレッダリング１３８は、ハウジング１１９の内側表面に固定して取り付けられている。
【０００７】
食品廃棄物ディスポーザの動作時には、食品運搬部１１２によって研磨部１１６に運ばれる食品廃棄物は、シュレッダリング１３８の歯１４０に対してプレート１３４上のラグ１３６によって押される。歯１４０の鋭い縁部は、プレート１３４の周面外側の歯１４０の間の間隙を介してプレート１３４の上からプレート１３４の下まで通過するのに十分小さい粒子状物質に食品廃棄物を研磨または粉砕する。重力により、粒子状物質は、食品廃棄物ディスポーザ１１０内に注入される水と共に、歯１４０の間の間隙を通過し、排出出口１５０を通して排出される。
【先行技術文献】
【特許文献】
【０００８】
【特許文献１】米国特許第３，０２５，００７号明細書
【考案の概要】
【課題を解決するための手段】
【０００９】
この部分は、開示の一般的要約を与えるものであり、その完全な範囲またはその特性全ての包括的な開示ではない。
【００１０】
本開示の一態様による食品廃棄物ディスポーザおよびマウントシステムは、ねじ式シンクフランジおよび食品廃棄物ディスポーザを有する。ねじ式シンクフランジは、管状本体部、および管状本体部の上部から径方向外側に延びる環状フランジ部を有する。シンクフランジの管状本体部は、ねじ部を有する。食品廃棄物ディスポーザは、上側食品運搬部、モータ部、および食品運搬部とモータ部の間に配置された中央研磨部を有する。中央研磨部は、研磨機構を囲むハウジングを有する。研磨機構は、中央研磨部のハウジング内に配置された固定シュレッダリング、およびラグを有する回転可能シュレッダプレートを有する。回転可能シュレッダプレートは、モータ部のモータによって回転される。上側食品運搬部は、ねじ式シンクフランジが食品廃棄物ディスポーザをシンクに取り付けるようにシンクの排水開口内に配置される場合に、ねじ式シンクフランジの管状本体部のねじ部上にねじ込まれるねじ部を有する上側環状部を有するハウジングを備えている。
【００１１】
一態様では、ねじ式シンクフランジの管状本体部は、外側ねじ部を有し、食品廃棄物ディスポーザの上側食品運搬部のハウジングの上側環状部は、内側ねじ部を有する。一態様では、ねじ式シンクフランジの管状本体部は、内側ねじ部を有し、食品廃棄物ディスポーザの上側食品運搬部のハウジングの上側環状部は、外側ねじ部を有する。
【００１２】
一態様では、シンクフランジ取付ナットは、シンクの底部に対してねじ式シンクフランジの管状本体部のねじ部上に締め付けられて、ねじ式シンクフランジをシンクに固定する。
【００１３】
一態様では、食品運搬部のハウジングは、上側食品運搬部のハウジングの上側環状部の内側ねじ部が、ねじ式シンクフランジの管状本体部のねじ部上に締め付けられる場合に、ねじ式シンクフランジの管状本体部の底部に対して圧縮された、ガスケットがその上で受けられる内側ねじ部の下縁部に径方向内側に延びるショルダを備えている。
【００１４】
一態様では、ガスケットは邪魔板構造を有する。
【００１５】
一態様では、シンクフランジワッシャは、シンク排水開口の周りでシンク内のリセスに受けられ、シンクフランジ取付ナットがねじ式シンクフランジの管状本体部のねじ部上に締め付けられた場合に、ねじ式シンクフランジのフランジ部によって圧縮される。
【００１６】
一態様では、中央研磨部のハウジング、および上側食品運搬部のハウジングは、単一のハウジングとして一体形成された一体型プラスチックハウジングである。
【００１７】
一態様では、ねじ式シンクフランジの管状本体部の下部は、内側ねじ部であるねじ部を有し、上側食品運搬部のハウジングの上側環状部のねじ部は、外側ねじ部である。ねじ式シンクフランジの管状本体部の上部は、上にシンクフランジ取付ナットがシンクの底部に対して締め付けられて、ねじ付きシンクフランジをシンクに固定する、外側ねじ部を有する。本態様の別の態様では、ねじ式シンクフランジの管状本体部は、径方向内側に延びる環状ショルダを有する。ガスケットは、径方向内側に延びる環状ショルダと、上側食品運搬部のハウジングの上側環状部が、ねじ式シンクフランジの管状本体部に締め付けられる場合に圧縮される、上側食品運搬部のハウジングの上側環状部の上縁部の間に配置されている。一態様では、ガスケットは邪魔板構造を有する。
【００１８】
一態様では、食品廃棄物ディスポーザは、シンクフランジ取付ワッシャを排水開口の周りのシンク内のリセスに置くことによって、シンクに取り付けられる。ねじ式シンクフランジはその後、シンクフランジ取付ワッシャおよび排水開口を通して置かれ、それによって、シンクフランジの管状本体部がシンクの下の排水開口を通して延び、ねじ式シンクフランジのフランジ部は、シンクフランジ取付ワッシャの上部に当接する。シンクフランジ取付ナットはその後、シンクフランジの管状本体部のねじ部上にねじ込まれるが、締め付けられない。ガスケットは、食品廃棄物ディスポーザの上側食品運搬部のハウジングの径方向に延びるショルダ上に置かれている。上側食品運搬部のハウジングの上側環状部の内側ねじ部は、ねじ式シンクフランジの管状本体のねじ部上にねじ込まれ、ねじ式シンクフランジの管状本体のねじ部上で締め付けられて、環状ショルダとねじ式シンクフランジの管状本体の底部の間でガスケットを圧縮する。食品廃棄物ディスポーザは、必要に応じて配向するように回転させられる。上側食品運搬部のハウジングの上側環状部の内側ねじ部が、ねじ式シンクフランジの管状本体のねじ部上で締め付けられた後に、シンクフランジ取付ナットが締め付けられる。
【００１９】
一態様では、食品廃棄物ディスポーザは、シンクフランジ取付ワッシャを排水開口の周りのシンク内リセスに置くことによって、シンクに取り付けられる。ねじ式シンクフランジはその後、シンクフランジ取付ワッシャおよび排水開口を通して置かれ、それによって、シンクフランジの管状本体部がシンクの下の排水開口を通して延び、ねじ式シンクフランジのフランジ部は、シンクフランジ取付ワッシャの上部に当接する。シンクフランジ取付ナットはその後、ねじ式シンクフランジの管状本体部の外側ねじ上部上にねじ込まれるが、締め付けられない。ガスケットは、ねじ式シンクフランジの管状本体部内に置かれている。上側食品運搬部のハウジングの上側環状部の外側ねじ部は、ねじ式シンクフランジの管状本体部の内側ねじ下部にねじ込まれ、ねじ式シンクフランジの管状本体部の径方向内側に延びる環状ショルダと上側食品運搬部のハウジングの上側環状部の上縁部の間でガスケットを圧縮するように締め付けられる。食品廃棄物ディスポーザは、必要に応じて配向するように回転させられる。上側食品運搬部のハウジングの上側環状部の外側ねじ部が、ねじ式シンクフランジの管状本体の内側ねじ部に締め付けられた後に、シンクフランジ取付ナットが締め付けられる。
【００２０】
応用可能性の別の領域は、本明細書で与えられる説明から明らかになるだろう。説明および特定の例はこの要約では、例示だけの目的を意図したものであり、本開示の範囲を制限することを意図するものではない。
【００２１】
本明細書に記載した図面は、選択した実施形態の例示的な目的のみであり、全ての可能な実施ではなく、また本考案の範囲を制限することを意図するものではない。
【図面の簡単な説明】
【００２２】
【図１】典型的な従来技術の食品廃棄物ディスポーザの断面図である。
【図２】本開示の一態様による、食品廃棄物ディスポーザおよびマウントシステムの断面図である。
【図３】図２の部分３−３の拡大図である。
【図４】図２の食品廃棄物ディスポーザおよびマウントシステムの部分４−４の断面の斜視図である。
【図５】図４に示す図の変更形態を示す図である。
【考案を実施するための形態】
【００２３】
対応する参照番号は、図面のいくつかの図全体を通して対応する部分を示している。
【００２４】
次に、例示的な実施形態を、添付の図面を参照してより完全に説明する。
【００２５】
図２を参照すると、マウントシステム２０４によってシンク２０２に取り付けられた食品廃棄物ディスポーザ２００が、示されている。上側食品運搬部１１２のハウジング１１８’が、以下に説明するように、ハウジング１１８と異なることを除いて、食品廃棄物ディスポーザ２００は例示的には食品廃棄物ディスポーザ１１０と同じであってもよい。食品廃棄物ディスポーザ２００はしたがって、上側食品運搬部１１２、下側モータ部１１４、および食品運搬部１１２とモータ部１１４の間に配置された中央研磨部１１６を備えている。
【００２６】
図２および３を参照すると、マウントシステム２０４は、管状本体部２１０の上部から径方向外側に延びるフランジ部２０８を有するねじ式シンクフランジ２０６を備えている。管状本体部２１０は、（図２で配向されているように）フランジ部２０８から下側に延びている。管状本体部２１０は、ねじ部２１２を備えている。一態様では、ねじ部２１２は、図２−４に示すように、管状本体部２１０の外側ねじ部２１４である。一態様では、ねじ部２１２は、図２に示すように、管状本体部２１０の底部２１１からフランジ部２０８まで、またはフランジ部２０８のちょうど手前まで、管状本体部２１０の長さに沿って延びている。
【００２７】
上縁部２１８を有するシンクフランジ取付ナット２１６は、ねじ式シンクフランジ２０６のねじ部２１２上にねじ込まれている。シンクフランジ取付ワッシャ２２０は、シンク排水開口２２２の周りのシンク２０２のリセス２２１内に受けられる。シンクフランジ取付ワッシャ２２０は、ゴムなどの適切な弾力性密封材料で作られている。
【００２８】
食品運搬部１１２のハウジング１１８’は、ねじ部２２６を有する上側環状部２２４を有する。一態様では、ねじ部２２６は、ハウジング１１８’の上側部２２４の内側ねじ部２２７である。この態様では、ハウジング１１８’は、内側ねじ部２２７の下縁部２３０に径方向内側に延びるショルダ２２８を有する。一態様では、ショルダ２２８は、内側ねじ部２２７の下縁部２３０から僅かな距離に配置することができる。図４に示すように、ガスケット２３２はショルダ２２８上で受けられる。ガスケット２３２は、ゴムなどの適切な弾力性密封材料で作られている。ガスケット２３２は例示的には、邪魔板構造を有することができる。１つのこのような例示的な邪魔板構造では、ガスケット２３２は、外側密封部２３４、およびフラップ２３８を備えた内側部２３６を有する。
【００２９】
食品廃棄物ディスポーザ２００をシンク２０２に取り付けるために、シンクフランジ取付ワッシャ２２０は、シンク排水開口２２２の周りでシンク２０２のリセス２２１内に置かれる。ねじ式シンクフランジ２０６はその後、シンクフランジ取付ワッシャ２２０およびシンク排水開口２２２を通して挿入され、それによって、管状本体部２１０がシンク排水開口２２２を通して下に延び、ねじ式シンクフランジ２０６のフランジ部２０８の底部２０９は、シンクフランジ取付ワッシャ２２０の上部２１９（図３）に当接する。シンクフランジ取付ナット２１６はその後、シンク２０２の下からねじ式シンクフランジ２０６の管状本体部２１０の外側ねじ部２１４上にねじ込まれるが、緩いままにされる。ガスケット２３２（図４）は、食品廃棄物ディスポーザ２００の食品運搬部１１２のハウジング１１８’の管状部２２４内に置かれ、それによってハウジング１１８’の上端部２２４の内側ねじ部２２７の下縁部２３０でハウジング１１８’のショルダ２２８上に受けられる。
【００３０】
ハウジング１１８’の上側環状部２２４の内側ねじ部２２７はその後、ねじ式シンクフランジ２０６の管状本体部２１０の外側ねじ部２１４上にねじ込まれ、外側ねじ部２１４上にしっかり締め付けられ、それによってガスケット２３２は、管状本体部２１０のショルダ２２８と底部２１１の間で圧縮される。食品廃棄物ディスポーザ２００およびねじ式シンクフランジ２０６はその後、必要に応じて回転させられて、食品廃棄物ディスポーザ２００をシンク２０２の下に適切に配向させる。シンクフランジ取付ナット２１６はその後、締め付けられる。
【００３１】
代替実施形態では、ねじ式シンクフランジ２０６の管状本体部２１０のねじ部２１２は、図５に示すように、管状本体部２１０の下部２４２の内側ねじ部２４０である。管状本体部２１０の上部２４４は、外側ねじ部２４６を有する。管状本体部２１０は、内側ねじ部２４０の上部の上に間隔を置いて配置した径方向内側に延びる環状ショルダ２４８を有する。食品運搬部１１２のハウジング１１８’の上側環状部２２４のねじ部２２６はその後、上側環状部２２４の外側ねじ部２５０である。
【００３２】
図５に示す実施形態では、食品廃棄物ディスポーザ２００は、以下の点が異なるが、上に記載した方法で、シンク２０２に取り付けられている。シンクフランジ取付ナット２１６は、シンク２０２の下からねじ式シンクフランジ２０６の管状本体部２１０の外側ねじ部２４６の上にねじ込まれるが、緩いままにされる。ガスケット２３２は、管状部２２４の上縁部２５２と環状ショルダ２４８の間に置かれる。ハウジング１１８’の上側環状部２２４の外側ねじ部２５０はその後、ねじ式シンクフランジ２０６の管状本体部２１０の内側ねじ部２４０内にねじ込まれ、しっかり締め付けられ、それによってガスケット２３２の外側密封部２３４は、ハウジング１１８’の上側環状部２２４の上縁部２５２とねじ式シンクフランジ２０６の管状本体部２１０の環状ショルダ２４８の間で圧縮される。食品廃棄物ディスポーザ２００およびねじ式シンクフランジ２０６はその後、必要に応じて回転させられて、食品廃棄物ディスポーザ２００をシンク２０２の下に適切に配向させる。シンクフランジ取付ナット２１６は、その後締め付けられる。
【００３３】
本明細書で使用される用語は、特定の例示的な実施形態を説明するための目的であり、限定的であることを意図したものではない。本明細書で使用するように、単数形（ａ、ａｎおよびｔｈｅ）は、内容的にそうでないと明らかに示されていない限り、複数形も含むことを意図することができる。「備える（ｃｏｍｐｒｉｓｅｓ）」、「備える（ｃｏｍｐｒｉｓｉｎｇ）」、「含む（ｉｎｃｌｕｄｉｎｇ）」および「有する（ｈａｖｉｎｇ）」という用語は、包括的なものであり、したがって、記した特性、整数、ステップ、動作、要素および／または構成要素の存在を特定するものであるが、１つまたは複数の他の特性、整数、ステップ、動作、要素、構成要素および／またはそのグループの存在または追加を排除するものではない。本明細書に記載された方法ステップ、プロセスおよび動作は、動作の順序として特に特定されていない限り、論じたまたは図示した特定の順序での動作を必ず必要とするものと解釈されるべきではない。また、追加のまたは代替ステップを利用することができることを理解されたい。
【００３４】
要素または層が別の要素または層「の上にある」、「に係合されている」、「に接続されている」、または「に結合されている」と言われる場合、直接他の要素または層の上にある、係合されている、接続されている、または結合されていてもよく、または介在する要素または層が存在してもよい。これに対して、要素が別の要素または層に直接別の要素または層「の上にある」、「に係合されている」、「に接続されている」、または「に結合されている」と言われる場合、介在する要素または層が存在しない。要素間の関係を説明するために使用される用語は、同様の方法で解釈されたい（例えば、「間に」に対して「直接間に」、「隣接して」に対して「直接隣接して」など）。本明細書で使用されるように、「および／または」という用語は、関連する挙げられた項目の１つまたは複数のいずれかおよび全ての組み合わせを含む。
【００３５】
様々な要素、構成要素、領域、層および／または部を説明するのに第１、第２、第３などの用語を本明細書で使用することができるが、これらの要素、構成要素、領域、層および／または部はこれらの用語によって限定されるべきものではない。これらの用語は、１つの要素、構成要素、領域、層または部を別の領域、層または部と区別するためにだけに使用することができる。本明細書で使用される場合「第１」、「第２」および他の数値的用語などの用語は、内容によって明らかに示されていない限り、順番または順序を暗示するものではない。したがって、以下に論じる第１の要素、構成要素、領域または部は、例示的な実施形態の教示から逸脱することなく、第２の要素、構成要素、領域、層または部と呼ぶことができる。
【００３６】
「内側」、「外側」、「下に（ｂｅｎｅａｔｈ、ｂｅｌｏｗ）」、「下側」、「上に」、「上側」などの空間相対的な用語を本明細書では、図面に示すような（１つまたは複数の）要素または（１つまたは複数の）機構に対する１つの要素または機構の関係を説明する記載を容易にするために使用することができる。空間相対的用語は、図面に示された配向に加えて、使用または動作の際のデバイスの異なる配向を含むことを意図することができる。例えば、図中のデバイスをひっくり返した場合、他の要素または機構の「下に」と記載された要素は、他の要素または機構の「上に」配向される。したがって、「下に」という例示的な用語は、上下の配向の両方を含むことができる。デバイスを別の方法で配向させる（９０度または他の向きで回転させる）ことができ、本明細書で使用される空間相対的記載はこれにしたがって解釈することができる。
【００３７】
実施形態の前述の記載は、図示および説明する目的で与えられている。排他的、または本考案を限定することを意図したものではない。特定の実施形態の個別の要素または機構は普通、その特定の実施形態に限るものではないが、適用可能な場合、特に図示または記載されていないが、交換可能であり、選択した実施形態で使用することができる。これはまた多くの方法で変更することができる。このような変更形態は、本考案から逸脱したものとみなされるべきではなく、このような変形形態は、本考案の範囲内に含まれるということを意図している。
【図１】
0003179359.tif 000003
【図２】
0003179359.tif 000004
【図３】
0003179359.tif 000005
【図４】
0003179359.tif 000006
【図５】
0003179359.tif 000007
【手続補正書】
【提出日】平成24年8月14日(2012.8.14)
【手続補正１】
【補正対象書類名】実用新案登録請求の範囲
【補正対象項目名】全文
【補正方法】変更
【補正の内容】
【実用新案登録請求の範囲】
【請求項１】
管状本体部および管状本体部の上部から径方向外側に延びるフランジ部を有し、管状本体部がねじ部を有する、ねじ式シンクフランジと、
上側食品運搬部、モータ部、および食品運搬部とモータ部との間に配置された中央研磨部を有する食品廃棄物ディスポーザであって、中央研磨部が研磨機構を囲むハウジングを有し、研磨機構が中央研磨部のハウジング内に配置された固定シュレッダリング、およびラグを有する回転可能シュレッダプレートを有し、回転可能シュレッダプレートがモータ部のモータによって回転される、食品廃棄物ディスポーザとを備え、
上側食品運搬部が、食品廃棄物ディスポーザをシンクに取り付けるために、ねじ式シンクフランジがシンクの排水開口内に配置されたときねじ式シンクフランジの管状本体部のねじ部にねじ込まれるねじ部を有する上側環状部を有するハウジングを含む、食品廃棄物ディスポーザシステム。
【請求項２】
シンクの底部に対してねじ式シンクフランジの管状本体部のねじ部上に締め付けられて、ねじ式シンクフランジをシンクに固定するシンクフランジ取付ナットをさらに備えた、請求項１に記載のシステム。
【請求項３】
ねじ式シンクフランジの管状本体部のねじ部が外側ねじ部であり、上側食品運搬部のハウジングの上側環状部のねじ部が内側ねじ部である、請求項１に記載のシステム。
【請求項４】
上側食品運搬部のハウジングの上側環状部の内側ねじ部がねじ式シンクフランジの管状本体部のねじ部上で締め付けられたとき、ねじ式シンクフランジの管状本体部の底部に対して圧縮される、その上にガスケットが受けられる内側ねじ部の下縁部に、径方向内側に延びるショルダを食品運搬部のハウジングが備えている、請求項３に記載のシステム。
【請求項５】
ガスケットが邪魔板構造を有する、請求項４に記載のシステム。
【請求項６】
中央研磨部のハウジングおよび上側食品運搬部のハウジングが一体型プラスチックハウジングである、請求項１に記載のシステム。
【請求項７】
ねじ式シンクフランジの管状本体部の下部が、内側ねじ部であるねじ部を有し、上側食品運搬部のハウジングの上側環状部のねじ部が、外側ねじ部であり、その上でシンクフランジ取付ナットがシンクの底部に対して締め付けられて、ねじ式シンクフランジをシンクに固定する、外側ねじ部を有するねじ式シンクフランジの管状本体部の上部をさらに含む、請求項１に記載のシステム。
【請求項８】
ねじ式シンクフランジの管状本体部が径方向内側に延びる環状ショルダを有し、径方向内側に延びる環状ショルダと、上側食品運搬部のハウジングの上側環状部がねじ式シンクフランジの管状本体部に締め付けられる場合に圧縮される上側食品運搬部のハウジングの上縁部の間に配置されたガスケットをさらに備えた、請求項７に記載のシステム。
【請求項９】
ガスケットが邪魔板構造を有する、請求項８に記載のシステム。
【請求項１０】
上側食品運搬部、モータ部、および食品運搬部とモータ部との間に配置された中央研磨部であって、中央研磨部が研磨機構を囲むハウジングを有し、研磨機構が中央研磨部のハウジング内に配置された固定シュレッダリング、およびラグを有する回転可能シュレッダプレートを有し、回転可能シュレッダプレートがモータ部のモータによって回転される、上側食品運搬部、モータ部および中央研磨部と、
食品廃棄物ディスポーザをシンクに取り付けるために、シンクの排水開口内に配置されたねじ式シンクフランジにねじ込み可能であるねじ部を有する上側環状部を有するハウジングを含む上側食品運搬部とを備えた、食品廃棄物ディスポーザ。
【請求項１１】
ハウジングのねじ部が内側ねじ部である、請求項１０に記載のディスポーザ。
【請求項１２】
上側食品運搬部のハウジングの上側環状部の内側ねじ部がねじ式シンクフランジ上で締め付けられたとき、ねじ式シンクフランジの底部に対して圧縮される、その上にガスケットが受けられる内側ねじ部の下縁部に、径方向内側に延びるショルダを食品運搬部のハウジングが備えている、請求項１１に記載のディスポーザ。
【請求項１３】
ガスケットが邪魔板構造を有する、請求項１２に記載のディスポーザ。
【請求項１４】
ハウジングのねじ部が外側ねじ部である、請求項１０に記載のディスポーザ。